(57)【要約】【課題】  顧客の属性に基づいて注意喚起を行い、顧客にとって撮影時の注意点が容易に理解することができる写真撮影装置を提供すること。【解決手段】  顧客により入力された指示情報に従って当該顧客を撮影し、その撮影画像をプリント出力する写真撮影装置において、顧客固有の顧客属性情報が入力される操作部６０と、属性入力手段から入力された顧客属性情報に基づいて、プリントされる撮影画像の撮影条件を報知する表示部４０と、を備える写真撮影装置。【選択図】図２
2006301179.tif 000002
【特許請求の範囲】
【請求項１】
顧客により入力された指示情報に従って当該顧客を撮影し、その撮影画像をプリント出力する写真撮影装置において、
前記顧客固有の顧客属性情報が入力される属性入力手段と、
前記属性入力手段から入力された顧客属性情報に基づいて、プリントされる撮影画像の撮影条件を報知する報知手段と、
を備えること、
を特徴とする写真撮影装置。
【請求項２】
請求項１に記載の写真撮影装置において、
プリントすべき写真種が入力される写真種選択手段を備え、
前記顧客属性情報は、当該写真種毎に対応して予め設定されていること、
を特徴とする写真撮影装置。
【請求項３】
請求項１又は２に記載の写真撮影装置において、
前記顧客属性情報は、前記顧客が属する宗教の種類、性別、年齢、外観上の特徴であること、
を特徴とする写真撮影装置。
【発明の詳細な説明】
【技術分野】
【０００１】
本発明は、パスポートや履歴書等に使用される証明写真や、ポートレート、記念写真当を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような証明写真装置では、撮影ボックス内に顧客が入り、ガイドに従って顧客自ら撮影操作を行うことにより、簡単かつ短時間でプリント写真を得ることができる。
【０００３】
写真撮影装置により得られるプリント写真は、例えばパスポート申請用の写真のように、眼鏡の反射によって瞳が写らない写真や髪が目を覆い目が隠れている写真は、パスポート申請用写真として適用することができない一方、宗教に応じて必要なスカーフ等の衣類が許容されており、写真の種類に応じて細かく顧客の外観の特徴が規定されている。
【０００４】
そこで、眼鏡の有無、髪型等の顧客の外観の特徴を入力させ、入力されたデータに基づいて照明装置の照度、角度を設定し撮影する画像プリントシステムが開示されている（特許文献１参照）。
【特許文献１】特開２００４−２７１９３８号公報
【発明の開示】
【発明が解決しようとする課題】
【０００５】
しかしながら、このような従来の写真撮影装置は、顧客が自身の外観の特徴を入力すると自動的に写真撮影装側が自動的に照明装置の照度や角度等の撮影条件を変更して撮影されるにすぎず、顧客自身は、撮影時においてどの点を注意すべきなのかを理解することができず、不本意な写真が得られる場合がある。また、宗教的な衣類の許容範囲や、性別、年齢（大人と子供）等の顧客固有の特徴（顧客の属性）に対しての注意点を把握することができず、満足するプリント写真を得ることができないという問題がある。
【０００６】
本発明の課題は、顧客の属性に基づいて注意喚起を行い、顧客にとって撮影時の注意点が容易に理解することができる写真撮影装置を提供することである。
【課題を解決するための手段】
【０００７】
請求項１に記載の発明は、顧客により入力された指示情報に従って当該顧客を撮影し、その撮影画像をプリント出力する写真撮影装置において、前記顧客固有の顧客属性情報が入力される属性入力手段と、前記属性入力手段から入力された顧客属性情報に基づいて、プリントされる撮影画像の撮影条件を報知する報知手段と、を備える写真撮影装置であること、を特徴としている。
【０００８】
請求項２に記載の発明は、請求項１に記載の写真撮影装置において、プリントすべき写真種が入力される写真種選択手段を備え、前記顧客属性情報は、当該写真種毎に対応して予め設定されていること、を特徴としている。
【０００９】
請求項３に記載の発明は、請求項１又は２に記載の写真撮影装置において、前記顧客属性情報は、前記顧客が属する宗教の種類、性別、年齢、外観上の特徴であること、を特徴としている。
【発明の効果】
【００１０】
請求項１に記載の発明によれば、顧客固有の顧客属性情報に基づく撮影条件が報知されるため、顧客にとって撮影時の注意点が容易に理解することができるため、撮影時に適正な写真が得られるように改善させることができ、顧客の顧客属性情報に基づく規格を満足する写真が容易に得られる写真撮影装置を提供することができる。
【００１１】
請求項２に記載の発明によれば、請求項１と同様の効果を得られるのは勿論のこと、写真種毎に被撮影者の属性に基づいて、写真種毎の注意喚起を行うことができ、顧客にとって撮影時の注意点が容易に理解することができるため、写真種毎の規格に適応した写真を得ることができる。
【００１２】
請求項３に記載の発明によれば、請求項１又は２と同様の効果を得られるのは勿論のこと、顧客が属する宗教の種類、性別、年齢、外観上の特徴に基づいて撮影条件が報知されるため、撮影時の細かい注意喚起を行うことができるため、顧客に対する利便性を向上させることができる。
【発明を実施するための最良の形態】
【００１３】
以下、図を参照して本発明の実施の形態を詳細に説明する。
まず、構成を説明する。
図１に、本実施の形態における写真撮影装置１の概略構成図を示す。
【００１４】
図１に示すように、写真撮影装置１は、ボックス型に形成されており、その外壁にはプリントされた写真を取り出す取出口７１が設置されており、ボックス内部（以下、撮影室Ｒという）には、顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、操作指示するための操作部６０、顧客Ｍが撮影室内に入室したことを検出するための入室センサＳ、撮影料金を精算するためのコインメック５０が設置されている。
【００１５】
図２に、写真撮影装置１の内部構成を示す。
図２に示すように、写真撮影装置１は、本体部１０、ストロボユニット２０、デジタルカメラ３０、報知手段としての表示部４０、コインメック５０、属性入力手段及び写真種選択手段としての操作部６０、プリンタ部７０、通信部８０、入室センサＳを備えて構成されている。
【００１６】
本体部１０は、制御部１１０、Ｉ／Ｏコントロール１２０、ＲＯＭ（Read Only Memory）１３０、ＲＡＭ（Random Access Memory）１４０、ＨＤＤ（Hard Disk Drive）１５０、Ｉ／Ｆ１６０から構成されており、Ｉ／Ｏコントロール１２０を介してストロボユニット２０、コインメック５０、スピーカ５５、操作部６０、に接続されるとともに、Ｉ／Ｆ１６０を介してプリンタ部７０に接続されている。
【００１７】
制御部１１０は、ＲＯＭ１３０に記憶されているシステムプログラムや各種データ、本発明に係る撮影プリント処理プログラム（図３参照）等の各種プログラムやデータを読み出してＲＡＭ１４０に展開し、当該プログラムに従って各部の動作を集中制御する。また、制御部１１０は、撮影画像に対し、階調変換処理、鮮鋭性強調処理、トリミング、サイズ調整等の各種画像処理を施す画像処理機能を有している。
【００１８】
制御部１１０、ＲＯＭ１３０、ＲＡＭ１４０、ＨＤＤ１５０の協働により、撮影プリント処理プログラムによって実行される撮影プリント処理は、操作画面及びアナウンス音声のデータをＨＤＤ１５０から読み出して順次操作画面を表示部４０に表示させるとともに、表示中の操作画面に応じたアナウンス音声をスピーカ５５から出力させる。また、操作画面においてプリント条件（写真種、顧客属性情報等）が選択操作されると、当該選択されたプリント条件の情報をＲＡＭ１４０に一時記憶させて設定する。
【００１９】
顧客属性情報は、顧客が信仰する宗教の種類、性別、年齢、肌・髪の毛・瞳等の色や眼鏡の有無などの外観上の特徴等の情報であり、顧客自らが操作部６０を操作することによって入力されることによって取得される。
【００２０】
そして、プリント条件（写真種、顧客属性情報等）が選択操作され取得されると、写真種及び顧客属性情報に基づいたサンプル画面が表示部４０の操作画面上に表示される。サンプル画面は、プリントされる撮影画像の撮影条件を報知する画面であり、写真種及び顧客属性情報に対応する良い撮影画像例と悪い撮影画像例が対比されて表示されている。
【００２１】
撮影条件とは、プリント条件に基づいて予め設定されているプリントされる撮影画像の規格であり、写真枠に対する撮影された顧客の顔の大きさや目の高さの許容範囲、特定の衣類の使用の可否、眼鏡の使用の可否や眼鏡の種類や使用時の適用範囲等が挙げられる。
【００２２】
サンプル画面が表示された後に撮影指示の操作がなされた場合、ストロボユニット２０及びデジタルカメラ３０を制御して顧客の撮影を複数回行わせ、撮影画像を生成させ、生成された撮影画像に対して写真選択用に所定の画像処理が施され、その処理画像（写真選択用画像）が生成され、複数の写真選択用画像が表示される写真選択画面を表示し、選択された撮影画像に対して、撮影画像調整処置及びプリント確認画像表示処理を施した後、調整済撮影画像に対してプリント出力の操作指示がされた場合、プリント出力用の画像処理を施し、ＲＡＭ１４０から読み出した設定されたプリントイメージに処理画像を合成してプリントデータを生成し、プリンタ部７０に出力する。
【００２３】
撮影画像調整処理は、撮影された複数の撮影画像からプリントさせる画像が選択された後、選択された撮影画像に対して、目の位置、頭頂部の位置、下顎の位置を顧客に指示させるための位置入力画面を生成し表示させ、特定された目の位置、頭頂部の位置、下顎の位置が予め設定された規格の範囲内に収まるように調整する処理である。
【００２４】
プリント確認画像表示処理は、目の位置、頭頂部の位置、下顎の位置が規格の範囲内に収まるように調整された撮影画像において、当該調整済撮影画像の頭頂部の上部に予め定められた空白領域の有無を判別し、空白領域が無いと判別した場合や、顧客の操作指示に基づいて調整済撮影画像に対する縮小／拡大指示を受け付けた場合、縮小／拡大指示に基づいて調整済撮影画像に対して縮小／拡大処理を施し、縮小／拡大処理された調整済撮影画像が予め定められた規格の範囲外であるか否かを判別し、縮小／拡大処理された調整済顔画像が予め定められた規格外であると判別した場合、顧客に対して改善を促すメッセージを表示部４０に表示させる処理である。
【００２５】
Ｉ／Ｏコントロール１２０は、本体部１０と、ストロボユニット２０、コインメック５０、操作部６０との間で情報のやり取りを仲介するインターフェイスであり、制御部１１０からの制御信号をストロボユニット２０、コインメック５０に送信するとともに操作部６０からの操作信号を制御部１１０に送信する。
【００２６】
ＲＯＭ１３０は、システムプログラムの他、撮影プリント処理プログラム等の各種制御プログラム、写真種及び顧客属性情報に対応する撮影条件のデータ群等の各種データ、各プログラムで処理されたデータ等を記憶する。
【００２７】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００２８】
ＨＤＤ１５０は、デジタルカメラ３０により撮影された撮影画像（原画像）の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００２９】
Ｉ／Ｆ１６０は、本体部１０と、プリンタ部７０との間で情報のやり取りを仲介するインターフェイスであり、制御部１１０で生成されたプリントデータを本体部１０からプリンタ７０へ送信する。
【００３０】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行う発光手段である。
【００３１】
デジタルカメラ３０は、シャッター、光学レンズ、ＣＣＤ（Charge Coupled Device）等の撮像素子、Ａ／Ｄ変換部等から構成される撮影手段であり、光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを撮影手段として適用することとしてもよい。
【００３２】
表示部４０は、ＬＣＤ（Liquid Crystal Display）等を備えて構成され、制御部１１０の指示に従って操作画面を表示したり、撮影画像のプレ表示を行う。
【００３３】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００３４】
スピーカ５５は、入力される音データに基づいてガイドアナウンス音声等を出力する。
【００３５】
操作部６０は、表示部４０と一体的に構成されるタッチパネル、撮影室の内壁に設けられた選択ボタン、撮影ボタン等の各種機能ボタン等のハードキーを備えて構成され、押下されたボタンに対応する操作信号を制御部１１０に出力する。
【００３６】
プリンタ部７０は、制御部１１０から入力されるプリントデータに基づいてプリント出力を行うプリント手段である。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００３７】
通信部８０は、ネットワークインターフェイスカード、モデム等の通信用インターフェイスから構成される通信手段であり、通信ネットワーク（不図示）上の外部機器と相互に情報の送受信を行う。例えば、他の写真撮影装置に画像データを転送してプリント出力させたりする。
【００３８】
入室センサＳは、顧客Ｍが撮影室Ｒに入室したことを検出するものであり、顧客Ｍの入室を検出するとその検出信号を制御部１１０に出力する。入室センサＳとしては、発光器と受光器とからなる光学式センサ等が適用可能である。
【００３９】
次に、本実施の形態の動作を説明する。
図３に、本実施の形態における写真撮影装置１により実行される撮影プリント処理のフローチャートを示す。
【００４０】
図３に示す撮影プリント処理では、まず、入室センサＳから入力される検出信号に基づいて、顧客が撮影室に入室したか否かが制御部１１０において判別され（ステップＳ１）、入室したと判別された場合（ステップＳ１：Ｙｅｓ）、表示部４０に撮影料金の料金ガイドを行う操作画面が表示される。顧客は、操作画面のガイドに従って規定の撮影料金をコインメック５０の入金口に投入する。
【００４１】
撮影料金が投入されると、コインメック５０において料金精算処理が行われ（ステップＳ２）、釣銭が有る場合は釣銭が返金口に排出される。次いで、表示部４０にカラー又は白黒いずれか一方の選択と写真種を選択操作させるための操作画面が表示される。操作画面上には、カラー又は白黒の選択ボタンと、写真種として、例えば、免許証用、履歴書用、パスポート用、大型用にプリント形状等の予め定められた写真種が選択可能に表示されている。顧客が、この操作画面上で所望するカラー又は白黒及び写真種を選択すると、選択されたカラー又は白黒及び写真種がＲＡＭ１４０に一時的に記憶され、設定される（ステップＳ３）。
【００４２】
カラー又は白黒の設定、写真種等のプリント条件の設定が実行されると、顧客に対して顧客属性情報を選択操作させるための顧客属性情報選択画面が表示部４０の操作画面上に表示される（ステップＳ４）。
【００４３】
図４に、顧客属性情報選択画面の一例を示す。
図４に示す顧客属性情報選択画面Ｇ１は、写真種がパスポート申請用として設定された場合において表示される顧客属性情報選択画面の一例であり、パスポート申請用の写真が撮影される際に必要な顧客固有の顧客属性情報が選択可能に表示されている。
【００４４】
図４に示すように、パスポート申請用の写真が撮影される際に必要な顧客固有の顧客属性情報としては、顧客の性別を選択させるための男性ボタンＧ１１ａ、女性ボタンＧ１１ｂ、顧客の年齢を選択させるための大人ボタンＧ１２ａ、子供ボタンＧ１２ｂ、顧客の外観上の特徴として眼鏡の種類及び有無を選択させるための近視用眼鏡ボタンＧ１３ａ、遠視用眼鏡ボタン１３ｂ、眼鏡無しボタン１３ｃ、顧客が信仰する宗教の種類を選択させるための無宗教ボタンＧ１４ａ、Ａ宗教ボタンＧ１４ｂ、Ｂ宗教ボタンＧ１４ｃ、Ｃ宗教ボタンＧ１４ｄ等が設けられている。なお、１１歳以上を大人とし、１１歳未満を子供として分別しているが、これに限らない。
【００４５】
顧客が、この操作画面上に表示されている顧客属性情報選択画面から自身の顧客属性情報を選択すると、選択された顧客属性情報が取得され、ＲＡＭ１４０に一時的に記憶される（ステップＳ５）。
【００４６】
顧客属性情報が取得された後（ステップＳ５後）、ＲＡＭ１４０に記憶されている写真種及び顧客属性情報が読み出され、読み出された写真種及び顧客属性情報に対応する撮影条件のデータがＲＯＭ１３０から読み出され、読み出された撮影条件に基づいてサンプル画面が生成され、表示部４０の操作画面上にサンプル画面が表示される（ステップＳ６）。
【００４７】
図５〜７に、サンプル画面の一例を示す。
図５に示すサンプル画面は、図４に示す顧客属性情報選択画面Ｇ１において、男性ボタンＧ１１ａ、子供ボタンＧ１２ｂ、近視用眼鏡ボタンＧ１３ａ、無宗教ボタンＧ１４ａが選択された場合のサンプル画面Ｇ２の一例である。
【００４８】
図５に示すように、サンプル画面Ｇ２は、写真種（パスポート）及び顧客属性情報（男性、子供、近視用眼鏡有り、無宗教）に基づく良い撮影画像例Ｇ２１と悪い撮影画像例Ｇ２２が対比されて表示されており、夫々の撮影画像例に対するメッセージＭ１〜Ｍ４が表示されている。即ち、良い撮影画像例Ｇ２１、悪い撮影画像例Ｇ２２、メッセージＭ１〜Ｍ４が表示されることにより、撮影条件を顧客に報知することを実現している。
【００４９】
メッセージＭ１は、写真枠Ｗの高さ方向における目の高さの許容範囲を示している。メメッセージＭ２は、良い撮影画像例Ｇ２１に表示されている顔の大きさの許容範囲を示している。メッセージＭ３は、悪い撮影画像例Ｇ２２に表示されている顔の大きさを示している。メッセージＭ４は、悪い撮影画像例Ｇ２２に表示されている画像例がパスポート申請用の写真として適していない理由が示されており、例えば、眼鏡が照明光に反射して瞳が見えない場合や、眼鏡のフレームが目にかかっている場合、表情が平常時と著しく異なっている場合、目の高さが設定範囲外である場合、顔の大きさが許容範囲未満である場合等の理由が示されている。
【００５０】
図６に示すサンプル画面は、図４に示す顧客属性情報選択画面Ｇ１において、女性ボタンＧ１１ｂ、大人ボタンＧ１２ａ、眼鏡無しボタンＧ１３ｃ、Ｂ宗教ボタンＧ１４ｃが選択された場合のサンプル画面Ｇ３の一例である。
【００５１】
図６に示すように、サンプル画面Ｇ３は、写真種（パスポート）及び顧客属性情報（女性、大人、眼鏡無し、Ｂ宗教）に基づく良い撮影画像例Ｇ３１と悪い撮影画像例Ｇ３２が対比されて表示されており、夫々の撮影画像例に対するメッセージＭ１、Ｍ２、Ｍ４、Ｍ５が表示されている。即ち、良い撮影画像例Ｇ３１、悪い撮影画像例Ｇ３２、メッセージＭ１、Ｍ２、Ｍ４、Ｍ５が表示されることにより、撮影条件を顧客に報知することを実現している。
【００５２】
メッセージＭ１、Ｍ２は、図５に示すメッセージＭ１、Ｍ２と同様であるため、説明は省略する。メッセージＭ４は、悪い撮影画像例Ｇ３２に表示されている画像例がパスポートの申請用写真として適していない理由が示されており、例えば、Ｂ宗教上使用されているショールであるが、パスポート申請用の写真としては認められないショールを使用している場合等の理由が示されている。メッセージＭ５は、良い撮影画像例Ｇ３１に表示されている画像例がパスポート申請用の写真として適している理由が示されており、例えば、Ｂ宗教上使用されているスカーフであり、パスポート申請用の写真として認められる部分的なスカーフを使用している場合等の理由が示されている。
【００５３】
図７に示すサンプル画面は、図４に示す顧客属性情報選択画面Ｇ１において、女性ボタンＧ１１ｂ、大人ボタンＧ１２ａ、遠視用眼鏡しボタンＧ１３ｂ、無宗教ボタンＧ１４ａが選択された場合のサンプル画面Ｇ４の一例である。
【００５４】
図７に示すように、サンプル画面Ｇ４は、写真種（パスポート）及び顧客属性情報（女性、大人、遠視用眼鏡有り、無宗教）に基づく良い撮影画像例Ｇ４１と悪い撮影画像例Ｇ４２が対比されて表示されており、夫々の撮影画像例に対するメッセージＭ１、Ｍ２、Ｍ４が表示されている。即ち、良い撮影画像例Ｇ４１、悪い撮影画像例Ｇ４２、メッセージＭ１、Ｍ２、Ｍ４が表示されることにより、撮影条件を顧客に報知することを実現している。
【００５５】
メッセージＭ１、Ｍ２は、図５に示すメッセージＭ１、Ｍ２と同様であるため、説明は省略する。メッセージＭ４は、悪い撮影画像例Ｇ４２に表示されている画像例がパスポート申請用の写真として適していない理由が示されており、例えば、髪の毛が目にかかっている場合や、遠視用眼鏡は照明光が反射して瞳が見えない場合の理由は示されており、また、眼鏡に照明光が反射して瞳が見えない場合は眼鏡を外すことを勧めるなど、問題点を改善させるための改善方策が示されている。
【００５６】
顧客が、この操作画面上に表示されているサンプル画面を確認して、操作部６０を操作することにより撮影指示を行うと、次に撮影準備及び操作についての操作画面が表示部４０に表示され、撮影準備及び操作についての操作画面が表示された後、顧客が操作画面上に表示された操作ボタンを押下操作することにより、ストロボユニット２０の制御によりストロボ２０ａが発光されるとともに、デジタルカメラ３０においての撮影処理が実行される（ステップＳ７）
【００５７】
撮影処理終了後、撮影された複数の撮影画像からプリントさせる画像を選択させる写真選択用の撮影画像が生成され（ステップＳ８）、写真選択用の撮影画像が選択可能に表示された写真選択画面が表示部４０に表示される（ステップＳ９）。
【００５８】
操作画面上に表示された写真選択画面において、顧客が操作画面上に表示された複数の写真選択用の撮影画像のうちのいずれかを選択すると（ステップＳ１０）、選択された撮影画像に対して写真種毎に予め設定された規格の範囲内に目の位置、頭頂部の位置、下顎の位置が収まるように撮影画像調整処理が実行される（ステップＳ１１）。
【００５９】
調整済撮影画像に対して、頭頂部の上部に予め定められた空白領域が無い場合や客の操作により縮小／拡大処理された調整済撮影画像が規格の範囲外である場合、調整済撮影画像が表示部４０の操作画面上に表示されるプリント確認画面と共に、顧客に対して改善を促すメッセージを表示部４０に表示させるプリント確認画像処理が実行される（ステップＳ１２）。
【００６０】
なお、ステップＳ１２において表示部４０の操作画面上に表示されるプリント確認画面と共に、ステップＳ６において説明したサンプル画面が表示されてもよく、このようにプリント確認画面とサンプル画面とを操作画面上に共に並記表示させることによって、顧客に対して調整済撮影画像とサンプル画面中の撮影画像例とを容易に比較表示させることができ、顧客が撮影画像を良否判断する際の手助けを行うことができる。
【００６１】
表示部４０の操作画面上に表示された調整済撮影画像に対し、設定されたプリント条件に従って、プリント出力用に階調処理変換、トリミング、サイズ調整等の各種画像処理が施され、プリント出力用の画像データ（出力画像データ）が生成され、ＲＡＭ１４０に一時的に記憶され設定される（ステップＳ１３）。
【００６２】
操作画面上に表示されたプリント確認画面において、顧客が操作画面上に表示された撮影画像を観察し、画像の良否を判断する。そして顧客は、良好な画像ではないと判断した場合は撮り直しボタン（不図示）を選択し、良好な画像であると判断した場合にはプリントボタン（不図示）を選択する。
【００６３】
制御部１１０では、撮り直しボタン又はプリントボタンのいずれかが操作されたか否かが判断され（ステップＳ１４）、撮り直しボタンが操作された場合は（ステップＳ１４：撮り直し）、ステップＳ７の処理に戻り、再度撮影が行われる。
【００６４】
一方、プリントボタンが操作された場合は（ステップＳ１４：プリント）、ＲＡＭ１４０に記憶されている出力画像データが読み出され、プリンタ部７０に出力される。プリンタ部７０では、出力画像データに基づくプリント出力が行われる（ステップＳ１５）。
【００６５】
プリント出力されたプリント写真が取出口７１に排出されると（ステップＳ１６）、本処理が終了される。
【００６６】
このように、顧客属性情報及び写真種毎に基づいて、写真種毎の撮影条件が報知されるため、顧客にとって撮影時の注意点が容易に理解することができるため、写真種毎の規格に適応した撮影時に適正な写真が得られるように改善させることができ、顧客属性情報に基づく規格を満足する写真が容易に得られる写真撮影装置を提供することができる。
また、顧客が属する宗教の種類、性別、年齢、外観上の特徴としての顧客属性情報に基づいて撮影条件が報知されるため、撮影時の細かい注意喚起を行うことができるため、顧客に対する利便性を向上させることができる。
【００６７】
また、本発明は、上記実施の形態の内容に限定されるものではなく、本発明の主旨を逸脱しない範囲で適宜変更可能である。
【図面の簡単な説明】
【００６８】
【図１】本実施の形態における写真撮影装置１の概略構成図である。
【図２】写真撮影装置１の内部構成図である。
【図３】写真撮影装置１により実行される撮影プリント処理のフローチャートである。
【図４】顧客属性情報選択画面の一例である。
【図５】サンプル画面の一例である。
【図６】サンプル画面の一例である。
【図７】サンプル画面の一例である。
【符号の説明】
【００６９】
１  写真撮影装置
１０  本体部
１１０  制御部
１２０  Ｉ／Ｏユニット
１３０  ＲＯＭ
１４０  ＲＡＭ
１５０  ＨＤＤ
１６０  Ｉ／Ｆ
２０  ストロボユニット
２０ａ  ストロボ
３０  デジタルカメラ
４０  表示部
５０  コインメック
５５  スピーカ
６０  操作部
７０  プリンタ部
８０  通信部
Ｃ  椅子
Ｇ１  顧客属性情報選択画面
Ｇ１１ａ  男性ボタン
Ｇ１１ｂ  女性ボタン
Ｇ１２ａ  大人ボタン
Ｇ１２ｂ  子供ボタン
Ｇ１３ａ  近視用眼鏡ボタン
Ｇ１３ｂ  遠視用眼鏡ボタン
Ｇ１３ｃ  眼鏡無しボタン
Ｇ１４ａ  無宗教ボタン
Ｇ１４ｂ  Ａ宗教ボタン
Ｇ１４ｃ  Ｂ宗教ボタン
Ｇ１４ｄ  Ｃ宗教ボタン
Ｇ２、Ｇ３、Ｇ４  サンプル画面
Ｇ２１、Ｇ３１、Ｇ４１  良い撮影画像例
Ｇ２２、Ｇ３２、Ｇ４２  悪い撮影画像例
Ｍ  顧客
Ｍ１、Ｍ２、Ｍ３、Ｍ４、Ｍ５  メッセージ
Ｒ  撮影室
Ｓ  入室センサ
Ｗ  写真枠
【図１】
2006301179.tif 000003
【図２】
2006301179.tif 000004
【図３】
2006301179.tif 000005
【図４】
2006301179.tif 000006
【図５】
2006301179.tif 000007
【図６】
2006301179.tif 000008
【図７】
2006301179.tif 000009